(57)【特許請求の範囲】
【請求項１】
電圧出力端子が形成された第１の回路基板の一端と、電圧入力端子が形成された第２の回路基板の一端とが近接配置され、
前記第１の回路基板の一端縁に沿って前記電圧出力端子に接合される第１端部と、前記第２の回路基板の一端縁に沿って前記電圧入力端子に接合される第２端部と、を有する導電プレートによって、前記電圧出力端子と前記電圧入力端子とが導通接続される基板間の端子接続構造を備えた表示装置であって、
前記第１端部及び前記第２端部に、前記導電プレートの厚み方向に沿って突出した突出部をそれぞれ設け、前記第１端部の突出部の表面と前記電圧出力端子とが面接触した状態で、かつ、前記第２端部の突出部の表面と前記電圧入力端子とが面接触した状態で、前記導電プレートと前記第１の回路基板及び第２の回路基板とがそれぞれ固定され、
前記導電プレートをパネル駆動用の大電流が行き交うことにより前記導電プレートが微小に振動して、前記導電プレートの突出部以外の部分に前記第１の回路基板および前記第２の回路基板が接触しないように、前記突出部以外の部分と前記第１の回路基板及び第２の回路基板との間に所要の隙間を設けたことを特徴とする表示装置。
【請求項２】
前記突出部に設けられたねじ挿通孔に、ねじ部材を挿通して固定することを特徴とする請求項１に記載の表示装置。
【請求項３】
前記導電プレートの前記突出部以外の部分が絞り加工又は成形加工されることにより、前記突出部が形成されてなることを特徴とする請求項１又は２に記載の表示装置。
【発明の詳細な説明】
【技術分野】
【０００１】
本発明は、表示装置に関する。
【背景技術】
【０００２】
近年、表示装置として、例えば、プラズマディスプレイパネル（以下、ＰＤＰと称する）、液晶ディスプレイパネル、有機エレクトロルミネセンスパネル等のように、平板状の薄型ディスプレイパネルを採用したものが各種開発されている。
図１は、上記ＰＤＰを組み込んだプラズマディスプレイ装置の全体構成の一例を示している。
【０００３】
同図に示すように、ＰＤＰ８を収容する筐体は、開口部にガラス等から成る前面カバーが配置された前面枠４と、金属製のリアカバー６とから構成されている。
ＰＤＰ８は、アルミニウム等から成るシャーシ部材１０の前面に熱伝導シート９を介して接着することにより保持され、前記シャーシ部材１０の後面側には、ＰＤＰ８を表示駆動させるための駆動回路を搭載したスキャン回路基板１，２や、前記駆動回路に給電するための電源回路を搭載したドライブ回路基板３などの複数の回路ブロック（回路基板）が取付けられている。
【０００４】
これら回路基板は、用途毎に独立させた小型の複数個の回路基板によって構成することで、回路基板の生産性、汎用性、保守性等を向上させている。
ところで、これらスキャン回路基板１，２には、ドライブ回路基板３から大電流を流さなければならないが、接続に接続線を使用した場合には、接続線と各基板とのインピーダンス変化が大きく、導電特性を向上させることが難しい。
【０００５】
図２は上記構成のプラズマディスプレイ装置において、リアカバー６を外して内部の配置構造例を示す平面図であり、図３は図２に示したパネル駆動用の回路基板構成の一部を拡大した斜視図である。
図２及び図３に示す接続構造では、ＰＤＰ８を駆動するための駆動回路を搭載したスキャン回路基板１，２と、前記駆動回路に給電するための電源回路を搭載したドライブ回路基板３とが、互いに端縁を近接して敷設されている。
【０００６】
前記スキャン回路基板１は、ドライブ回路基板３に近接した一端部の片面（図３では裏面）に、基板上に搭載している駆動回路への給電を受けるための電圧入力端子１ａが設けられている。
また、ドライブ回路基板３は、スキャン回路基板１に近接した一端部の片面（図では裏面）に、基板上に搭載している電源回路の出力する電圧をスキャン回路基板１に供給するための電圧出力端子３ａが設けられている。
【０００７】
そして、互いに近接した電圧入力端子１ａと電圧出力端子３ａは、これらの端子の上に面接触するように両端が各回路基板の端部に固定される平板状の導電プレート（導通板）５によって、導通接続されている。
前記導電プレート５の各回路基板への固定は、図示のように、ねじ部材７による締結によって行われている。
【０００８】
また、前記導電プレート５の代わりに、両端の信号層を露出させた伝送基板等を用いて、電圧入力端子１ａと電圧出力端子３ａとにそれぞれ圧接させ接続させた伝送装置も提案されている（例えば、特許文献１参照）。
このように、スキャン回路基板１，２とドライブ回路基板３との接続が、導電プレート５や伝送基板を使用した面接触とされることにより、基板接続部におけるインピーダンスの変化を抑えて、導電特性を向上させることができる。
【特許文献１】特開２００３−１５５４０号公報
【発明の開示】
【発明が解決しようとする課題】
【０００９】
ところで、スキャン回路基板１，２とドライブ回路基板３とを接続する導電プレート５は、平板で長いために、これを両回路基板に固定、圧着する場合、所定の間隔をあけてねじ止めしている。
【００１０】
ところが、このような基板間の接続構造では、ねじ止めによる固定部間がフリーとなっているため、導電プレート５をパネル駆動用の大電流が行き交うことにより、導電プレート５が微小に振動して回路基板１，２，３に当り、異常音（ビビリ音）が発生することを見出した。
【００１１】
本発明が解決しようとする課題としては、前述したように、導電プレートと回路基板の間を大電流が流れることにより異常音が発生するという問題が一例として挙げられる。
【課題を解決するための手段】
【００１２】
請求項１に記載の表示装置は、電圧出力端子が形成された第１の回路基板の一端と、電圧入力端子が形成された第２の回路基板の一端とが近接配置され、前記第１の回路基板の一端縁に沿って前記電圧出力端子に接合される第１端部と、前記第２の回路基板の一端縁に沿って前記電圧入力端子に接合される第２端部と、を有する導電プレートによって、前記電圧出力端子と前記電圧入力端子とが導通接続される基板間の端子接続構造を備えた表示装置であって、前記第１端部及び前記第２端部に、前記導電プレートの厚み方向に沿って突出した突出部をそれぞれ設け、前記第１端部の突出部の表面と前記電圧出力端子とが面接触した状態で、かつ、前記第２端部の突出部の表面と前記電圧入力端子とが面接触した状態で、前記導電プレートと前記第１の回路基板及び第２の回路基板とがそれぞれ固定され、前記導電プレートをパネル駆動用の大電流が行き交うことにより前記導電プレートが微小に振動して、前記導電プレートの突出部以外の部分に前記第１の回路基板および前記第２の回路基板が接触しないように、前記突出部以外の部分と前記第１の回路基板及び第２の回路基板との間に所要の隙間を設けたことを特徴とする。
【発明を実施するための最良の形態】
【００１３】
以下、本発明に係る表示装置の実施の形態について、図面を参照して詳細に説明する。
図４は本発明の実施の形態に係る表示装置における回路基板間の端子接続のための導電プレートの構成を示す斜視図、図５はその導電プレートを用いて２つの回路基板の端子間を接続した構造の断面図、図６は導電プレートと２つの回路基板の関係を示す部分拡大斜視図、図７は導電プレートと一方の回路基板を接続した状態を示す斜視図、図８は図７のＡ−Ａ矢視断面図である。
【００１４】
なお、本実施の形態に係る表示装置は、ＰＤＰ（プラズマディスプレイパネル）を組み込んだプラズマディスプレイ装置であり、全体構成は図１に示したプラズマディスプレイ装置の全体構成と略同様である。
【００１５】
図４〜図８に示す本実施の形態の端子接続構造を備えた表示装置は、電圧出力端子１３ａが形成された第１の回路基板１３の一端と、電圧入力端子１１ａが形成された第２の回路基板１１の一端とが近接配置される。そして、第１の回路基板１３の一端縁に沿って前記電圧出力端子１３ａに接合される第１端部１５ａと、第２の回路基板１１の一端縁に沿って電圧入力端子１１ａに接合される第２端部１５ｂと、を有する導電プレート１５によって、電圧出力端子１３ａと電圧入力端子１１ａとが導通接続される基板間の端子接続構造を備える。
この導電プレート１５の第１端部１５ａ及び第２端部に、導電プレート１５の厚み方向に沿って突出した複数の突出部１７ａ，１７ｂがそれぞれ設けられている。
そして、導電プレート１５における突出部１７ａ，１７ｂ以外の部分は、第１の回路基板１３及び第２の回路基板１１との間に所要の隙間が設けられている。
【００１６】
このように導電プレート１５に突出部１７ａ，１７ｂを設けて、第１端部の突出部１７ａの表面と電圧出力端子１３ａとが面接触した状態で、かつ、第２端部の突出部１７ｂの表面と電圧入力端子１１ａとが面接触した状態で、導電プレート１５と第１の回路基板１３及び第２の回路基板１１とが、ねじ止めにより、それぞれ固定されている。
この固定された部分以外は、第１の回路基板１３及び第２の回路基板１１との間に所要の隙間が空いている。
【００１７】
このため、パネル駆動用の大電流が行き交うことによって、導電プレート１５がたとえ微小に振動したとしても、導電プレート１５のねじ止めしない部分が、回路基板１１，１３に当たることはなく、異常音の発生を防止することができる。
【００１８】
図５に示すように、第２の回路基板１３は、ＰＤＰを駆動するための駆動回路（図示せず）を搭載したスキャン回路基板であり、第１の回路基板１１は第２の回路基板１３の駆動回路に給電するための電源回路（図示せず）を搭載したドライブ回路基板である。
第１の回路基板１１は、電圧出力端子１１ａが一端部の下面に形成されている。また、第２の回路基板１３も、電圧入力端子１３ａが一端部の下面に形成されている。
【００１９】
そして、第１の回路基板１１と第２の回路基板１３は、電圧出力端子１１ａが形成された第１の回路基板１１の一端部と、電圧入力端子１３ａが形成された第２の回路基板１３の一端部と、を近接させた状態で配置されている。
【００２０】
これら電圧出力端子１３ａと電圧入力端子１１ａとを導通接続する導電プレート１５は、図４及び図６に示すように、長い帯板状のプレートであって、幅方向の第１端部１５ａを第１の回路基板１３にねじ７で固定し、幅方向の第２端部１５ｂを第２の回路基板１１にねじ７で固定することにより、第１の回路基板１３の下面の電圧出力端子１３ａと第２の回路基板１１の下面の電圧入力端子１１ａとを導通接続している。
【００２１】
この場合、この細長い導電プレート１５の第１端部１５ａと第２端部１５ｂとには、絞り加工などによってテーブル状の突出部１７ａ，１７ｂがそれぞれ設けてあり、その突出部１７ａ，１７ｂの上面を、第１の回路基板１３及び第２の回路基板１１の下面に設けた各端子１３ａ、１１ａに面接触させた状態で、突出部１７ａ，１７ｂを、ねじ挿通孔１８に通したねじ７で回路基板１３、１１に締め付けている。
【００２２】
導電プレート１５の突出部１７ａ，１７ｂをねじ７で回路基板１３、１１締め付け固定することにより、突出部１７ａ，１７ｂ以外の部分において、導電プレート１５と回路基板３の間に、接触するかしないかの微小な隙間ではなく、比較的大きな隙間２０を積極的に確保することができる（図８参照）。
【００２３】
つまり、ねじ止めによる加圧面接触により導通を図る部分以外は、積極的に隙間２０をあけるようにしている。これにより、パネル駆動用の大電流が行き交うことにより導電プレート１５がたとえ微小に振動したとしても、導電プレート１５のねじ止めしない部分（隙間２０を確保した部分）が、回路基板１１、１３に当たることはなく、異常音の発生を確実に防止することができる。
【００２４】
また、導電プレート１５に突出部１７ａ，１７ｂを設ける方法としては、固定する部分以外の部分を絞り加工して形成する方法を採ることができるので、簡単に加工することができ、実現が容易である。
尚、絞り加工に代えて成形加工を用いて前記突出部１７ａ、１７ｂを設けるようにしても良い。
【００２５】
ところで、このように突出部１７ａ，１７ｂの上面を端子１１ａ、１３ａに面接触させ、その部分だけで回路基板１１、１３との導通を図るので、突出部１７ａ，１７ｂの上面の面積の合計は、導通確保に必要な面積を超える値に設定する必要がある。
【００２６】
なお、本発明が適用される表示装置は、上記実施の形態において例示したプラズマディスプレイ装置に限らない。
即ち、上記実施の形態においては、第１の回路基板１１及び第２の回路基板１３としてドライブ回路基板及びスキャン回路基板を例に説明したが、電圧出力端子が形成された第１の回路基板の一端と、電圧入力端子が形成された第２の回路基板の一端とが、互いに接近して敷設されている回路基板間の端子相互を導電プレートを介して導通接続させる基板間の端子接続構造を内部に持つ表示装置であれば、液晶ディスプレイパネルや有機エレクトロルミネセンスパネル等の他のディスプレイパネル形式の表示装置にも適用可能である。
【００２７】
以上、詳述したように、本実施の形態に係る表示装置は、電圧出力端子１３ａが形成された第１の回路基板１３の一端と、電圧入力端子１１ａが形成された第２の回路基板１１の一端とが近接配置され、第１の回路基板１３の一端縁に沿って電圧出力端子１３ａに接合される第１端部１５ａと、第２の回路基板１１の一端縁に沿って電圧入力端子１１ａに接合される第２端部１５ｂとを有する導電プレート１５によって、電圧出力端子１３ａと電圧入力端子１１ａとが導通接続される基板間の端子接続構造を備えた表示装置であり、
第１端部１５ａ及び第２端部１５ｂに、導電プレート１５の厚み方向に沿って突出した突出部１７ａ，１７ｂをそれぞれ設け、該突出部１７ａ，１７ｂ以外の部分と第１の回路基板１３及び第２の回路基板１１との間に所要の隙間を設けている。
【００２８】
このように構成されることにより、パネル駆動用の大電流が行き交うことによって、導電プレート１５がたとえ微小に振動したとしても、導電プレート１５の突出部１７ａ，１７ｂ以外の部分が回路基板１１，１３に当たることはなく、異常音の発生を防止することができる。
その結果、特にテレビ用のディスプレイに使用すれば、視聴する際に耳障りな異常音を伴わないので、テレビ用ディスプレイとしての商品価値を高めることができる。
【図面の簡単な説明】
【００２９】
【図１】従来のプラズマディスプレイ装置の全体構成の一例を示す分解斜視図である。
【図２】図１に示したプラズマディスプレイ装置の内部の配置構造例を示す平面図である。
【図３】図２に示したパネル駆動用の回路基板構成の一部を拡大した斜視図である。
【図４】本発明の実施の形態に係る表示装置における回路基板間の端子接続のための導電プレートの構成を示す斜視図である。
【図５】図４の導電プレートを用いて２つの回路基板の端子間を接続した構造の断面図である。
【図６】図４の導電プレートと２つの回路基板の関係を示す部分拡大斜視図である。
【図７】図４の導電プレートと一方の回路基板を接続した状態を示す斜視図である。
【図８】図７のＡ−Ａ矢視断面図である。
【符号の説明】
【００３０】
１１    第２の回路基板
１１ａ  電圧入力端子
１３    第１の回路基板
１３ａ  電圧出力端子
１５    導電プレート
１５ａ  第１端部
１５ｂ  第２端部
１７ａ，１７ｂ  突出部
２０    隙間
【図１】
0004643174.tif 000002
【図２】
0004643174.tif 000003
【図３】
0004643174.tif 000004
【図４】
0004643174.tif 000005
【図５】
0004643174.tif 000006
【図６】
0004643174.tif 000007
【図７】
0004643174.tif 000008
【図８】
0004643174.tif 000009